(57)【要約】【課題】移転する内線電話機を収容する移転先の交換機と、移転元の交換機の設定の変更を容易に行うことができる交換機システムを提供することを目的とする。【解決手段】複数の内線が収容されるとともに外線に接続され、内線に接続された内線電話機４を識別する識別情報が登録された識別情報テーブルに基づいて外線から着信した呼を内線電話機４へ配信する交換機２，３を有する交換機システム１において、移転する内線電話機４を識別する識別情報を移転元の交換機２から移転先の交換機３へ送信することにより、交換機３は、識別情報テーブルへ移転する内線電話機４に対応した識別情報を登録するとともに、交換機２は、識別情報テーブルからこの識別情報を除外することができるので、１回の設定変更で移転元の交換機２と、移転先の交換機３との識別情報テーブルの設定変更が同時にできる。【選択図】図１
2005260419.tif 000002
【特許請求の範囲】
【請求項１】
複数の内線が収容されるとともに外線に接続され、前記内線に接続された内線電話機を識別する識別情報が登録された識別情報テーブルと、前記内線電話機が発呼する際の接続先を識別する識別情報とを有し、前記識別情報テーブルに基づいて前記外線から着信した呼を内線電話機へ配信する交換機を複数有する交換機システムにおいて、
前記交換機は、前記識別情報テーブルに登録された内線電話機の識別情報を他の交換機へ移転を要求する移転要求通知を、当該内線電話機の識別情報とともに、移転先の他の交換機へ送信する手段と、
前記移転要求通知を他の交換機から受信すると、移転する内線電話機の識別情報を前記識別情報テーブルに登録するとともに、移転要求応答を返信する手段と、
前記移転要求応答を他の交換機から受信すると、登録先変更要求を移転先の他の交換機の識別情報ともに、移転する識別情報に対応する内線電話機へ送信する手段と、
前記登録先変更要求に対応する内線電話機から登録要求を受信すると、当該内線電話機の移転の完了を示す開通情報を前記識別情報テーブルに登録するとともに、移転元の他の交換機へ移転完了通知を送信する手段と、
前記移転完了通知を受信すると、移転した識別情報を識別情報テーブルから除外する手段を備え、
前記内線電話機は、登録先変更要求を受信すると、移転先の他の交換機の識別情報を記憶手段へ格納するとともに、登録要求を移転先の他の交換機へ送信する手段を備えたことを特徴とする交換機システム。
【請求項２】
複数の内線が収容されるとともに外線に接続され、前記内線に接続された内線電話機を識別する識別情報が登録された識別情報テーブルと、前記内線電話機が発呼する際の接続先を識別する発呼先識別情報とを有し、前記識別情報テーブルに基づいて前記外線から着信した呼を内線電話機へ配信する交換機を複数有する交換機システムにおいて、
前記交換機は、他の交換機の識別情報テーブルに登録された内線電話機の識別情報を移転するよう他の交換機へ要求する移転要求通知を、当該内線電話機の識別情報とともに、当該他の交換機へ送信する手段と、
前記移転要求通知を他の交換機から受信すると、移転要求応答を、前記識別情報テーブルに登録された内線電話機の識別情報とともに、移転先の他の交換機へ送信する手段と、
前記移転要求通知を他の交換機から受信すると、登録先変更要求を移転先の他の交換機の発呼先識別情報とともに、移転する識別情報に対応する内線電話機へ送信する手段と、
前記移転要求応答を他の交換機から受信すると、移転する識別情報を識別情報テーブルに登録する手段と、
前記登録先変更要求に対応する内線電話機から登録要求を受信すると、当該内線電話機の移転の完了を示す開通情報を識別情報テーブルに追加登録するとともに、移転元の他の交換機へ移転完了通知を送信する手段と、
前記移転完了通知を受信すると、移転した識別情報を識別情報テーブルから除外する手段を備え、
前記内線電話機は、登録先変更要求を受信すると、移転先の他の交換機の識別情報を記憶手段へ格納するとともに、登録要求を移転先の他の交換機へ送信する手段を備えたことを特徴とする交換機システム。
【発明の詳細な説明】
【技術分野】
【０００１】
本発明は、複数の内線を収容し、外線から着信した呼を内線に接続される内線電話機へ配信する交換機システムに関する。
【背景技術】
【０００２】
オフィスなどで使用される内線電話機として、インターネットなどのネットワークを利用したＩＰ（Internet Protocol）電話機が広まってきている。このＩＰ電話機は、ＬＡＮ（Local Area Network）で交換機に接続されることで、専用線、公衆網や、インターネットなどを介して通話相手と会話することが可能である。
【０００３】
このＩＰ電話機と接続される従来の交換機は、ＩＰ電話機を特定するためのＩＰアドレスやＭＡＣ（Media Access Control）アドレスなどの識別情報を、電話番号とを対応させて格納している識別情報テーブルを有しており、外線または内線から着信した呼がどのＩＰ電話機宛であるかを、この識別情報テーブルを参照して着信先の内線電話機を選択している。
【０００４】
従来の交換機が有する識別情報テーブルの設定は、端末装置をＬＡＮに接続し、端末装置からブラウザなどでアクセスして、ホームページ形式で表示された各種設定項目を入力して設定を行う。この設定は、例えば、ＩＰ電話機が移動することで設置される建物が変わるときには、このＩＰ電話機に割り当てられた内線を収容する交換機が変更となるので、移転するＩＰ電話機の識別情報を有する交換機の設定を削除し、移動先の交換機の識別情報テーブルへ識別情報を設定する必要がある。この場合には、ＩＰ電話機をそのまま移動するため、ＭＡＣアドレスは変更とならないが、ＩＰアドレスが変更となる。そして、このＩＰ電話機の内線が所属する着信グループや、内線の電話番号などが変更となる。
【０００５】
また、ＩＰ電話機そのものは設置されている場所からの移動はないが、使用者が配転となることで、移転するＩＰ電話機の内線を収容する交換機が変わる場合がある。この場合においては、ＩＰ電話機を識別するＭＡＣアドレスおよびＩＰの変更はないが、同様に、このＩＰ電話機の内線が所属する着信グループや、内線の電話番号が変更となるケースが多いので、やはりＩＰ電話機に割り当てられた内線を収容する交換機の設定の変更をする必要がある。従って、移転するＩＰ電話機の識別情報を有する交換機の設定を削除し、移動先の交換機の識別情報テーブルへ識別情報を追加することとなる。
【０００６】
このようにＩＰ電話機を移転させる場合に、最初に、移転元の交換機へ端末装置でアクセスして、識別情報テーブルから移転するＩＰ電話機の識別情報を削除設定し、次に、移転先の交換機へ端末装置でアクセスして、識別情報テーブルに移転するＩＰ電話機の識別情報を新たに追加登録をすることで、ＩＰ電話機の移転を行うことができる。
【０００７】
ＩＰ電話機を収容する交換機ではないが、（特許文献１）に端末装置の収容を簡単としたＡＴＭ交換機が記載されている。（特許文献１）に記載のＡＴＭ交換機は、各ＡＴＭ交換機にアドレス変換テーブルを持ち、接続収容するまたは接続削除する際に、それぞれ端末側から操作してアドレス変換テーブルを変更するというものである。
【特許文献１】特開平１０−３０３９１５号公報
【発明の開示】
【発明が解決しようとする課題】
【０００８】
従来の交換機においては、登録設定および削除設定をＬＡＮに接続した端末装置から、
移転元の交換機と、移転先の交換機へそれぞれ行う必要があり、操作が煩雑である。また、それぞれ操作を行うことで、設定ミスを誘因することも想定される。また、特許文献１に記載のＡＴＭ交換機においても、接続される端末から登録・削除の設定をそれぞれ行う必要があるため、やはり同様な問題が発生すると想定される。
【０００９】
そこで本発明は、移転する内線電話機を収容する移転先の交換機と、移転元の交換機の設定の変更を容易に行うことができる交換機システムを提供することを目的とする。
【課題を解決するための手段】
【００１０】
本発明の交換機システムは、複数の内線が収容されるとともに外線に接続され、前記内線に接続された内線電話機を識別する識別情報が登録された識別情報テーブルと、前記内線電話機が発呼する際の接続先を識別する識別情報とを有し、前記識別情報テーブルに基づいて前記外線から着信した呼を内線電話機へ配信する交換機を複数有する交換機システムにおいて、前記交換機は、前記識別情報テーブルに登録された内線電話機の識別情報を他の交換機へ移転を要求する移転要求通知を、当該内線電話機の識別情報とともに、移転先の他の交換機へ送信する手段と、前記移転要求通知を他の交換機から受信すると、移転する内線電話機の識別情報を前記識別情報テーブルに登録するとともに、移転要求応答を返信する手段と、前記移転要求応答を他の交換機から受信すると、登録先変更要求を移転先の他の交換機の識別情報ともに、移転する識別情報に対応する内線電話機へ送信する手段と、前記登録先変更要求に対応する内線電話機から登録要求を受信すると、当該内線電話機の移転の完了を示す開通情報を前記識別情報テーブルに登録するとともに、移転元の他の交換機へ移転完了通知を送信する手段と、前記移転完了通知を受信すると、移転した識別情報を識別情報テーブルから除外する手段を備え、前記内線電話機は、登録先変更要求を受信すると、移転先の他の交換機の識別情報を記憶手段へ格納するとともに、登録要求を移転先の他の交換機へ送信する手段を備えたことを特徴とする。
【発明の効果】
【００１１】
以上のように本発明は、移転元の交換機から移転先の交換機へ、移転する内線電話機を識別する識別情報を送信して移転先の交換機の識別情報テーブルへ移転する電話機の識別情報を登録するとともに、移転元の交換機の識別情報テーブルから移転する電話機の識別情報を除外することができるので、１回の設定変更で移転元の交換機と、移転先の交換機との識別情報テーブルの設定変更が同時にできる。よって、内線電話機の移転のための設定変更が容易にできる交換機システムとすることができる。
【００１２】
また、識別情報テーブルへの移転する内線電話機の識別情報の追加および削除の通知を、移転元の交換機から移転する内線電話機を経由させて移転先の交換機へ送信することで、移転に関係しない他の交換機や、他の端末装置などから誤った設定変更の通知などによる誤動作や、悪意のある通信による設定変更などを防止することができ、セキュリティを高めることができる。
【００１３】
また、内線電話機が有する発呼する際の接続先を識別する発呼先識別情報を、交換機の識別情報テーブルの設定変更と同時に変更することができるので、内線電話機の移転のための設定変更が容易にできる交換機システムとすることができる。
【００１４】
また、内線電話機の移設の場合だけでなく、交換機の収容容量が不足により大規模な収容容量を持つ交換機とリプレースする場合などにも、新たに導入する交換機をネットワークに接続することで、識別情報テーブルの移転が容易にできる。よって、新たに導入する交換機へ識別情報テーブルの設定を１台１台する必要がない。
【発明を実施するための最良の形態】
【００１５】
上記課題を解決するためになされた第１の発明は、複数の内線が収容されるとともに外線に接続され、内線に接続された内線電話機を識別する識別情報が登録された識別情報テーブルと、内線電話機が発呼する際の接続先を識別する識別情報とを有し、識別情報テーブルに基づいて外線から着信した呼を内線電話機へ配信する交換機を複数有する交換機システムにおいて、交換機は、識別情報テーブルに登録された内線電話機の識別情報を他の交換機へ移転を要求する移転要求通知を、当該内線電話機の識別情報とともに、移転先の他の交換機へ送信する手段と、移転要求通知を他の交換機から受信すると、移転する内線電話機の識別情報を識別情報テーブルに登録するとともに、移転要求応答を返信する手段と、移転要求応答を他の交換機から受信すると、登録先変更要求を移転先の他の交換機の識別情報ともに、移転する識別情報に対応する内線電話機へ送信する手段と、登録先変更要求に対応する内線電話機から登録要求を受信すると、当該内線電話機の移転の完了を示す開通情報を識別情報テーブルに登録するとともに、移転元の他の交換機へ移転完了通知を送信する手段と、移転完了通知を受信すると、移転した識別情報を識別情報テーブルから除外する手段を備え、内線電話機は、登録先変更要求を受信すると、移転先の他の交換機の識別情報を記憶手段へ格納するとともに、登録要求を移転先の他の交換機へ送信する手段を備えたことを特徴としたものである。
【００１６】
移転元の交換機から移転先の交換機へ、移転する内線電話機を識別する識別情報を送信して移転先の交換機の識別情報テーブルへ移転電話機情報を登録するとともに、移転元の交換機の識別情報テーブルから移転電話機情報を除外することができるので、１回の設定変更で移転元の交換機と、移転先の交換機との識別情報テーブルの設定変更が同時にできる。
【００１７】
また、識別情報テーブルへの移転する内線電話機の識別情報の追加および削除の通知を、移転元の交換機から移転する内線電話機を経由させて移転先の交換機へ送信することで、移転に関係しない他の交換機や、他の端末装置などからの誤った設定変更の通知などによる誤動作や、悪意のある通信による設定変更などを防止することができる。また、内線電話機が有する発呼する際の接続先を識別する発呼先識別情報を、交換機の識別情報テーブルの設定変更と同時に変更することができる。
【００１８】
上記課題を解決するためになされた第２の発明は、複数の内線が収容されるとともに外線に接続され、内線に接続された内線電話機を識別する識別情報が登録された識別情報テーブルと、内線電話機が発呼する際の接続先を識別する発呼先識別情報とを有し、識別情報テーブルに基づいて外線から着信した呼を内線電話機へ配信する交換機を複数有する交換機システムにおいて、交換機は、他の交換機の識別情報テーブルに登録された内線電話機の識別情報を移転するよう他の交換機へ要求する移転要求通知を、当該内線電話機の識別情報とともに、当該他の交換機へ送信する手段と、移転要求通知を他の交換機から受信すると、移転要求応答を、識別情報テーブルに登録された内線電話機の識別情報とともに、移転先の他の交換機へ送信する手段と、移転要求通知を他の交換機から受信すると、登録先変更要求を移転先の他の交換機の発呼先識別情報とともに、移転する識別情報に対応する内線電話機へ送信する手段と、移転要求応答を他の交換機から受信すると、移転する識別情報を識別情報テーブルに登録する手段と、登録先変更要求に対応する内線電話機から登録要求を受信すると、当該内線電話機の移転の完了を示す開通情報を識別情報テーブルに追加登録するとともに、移転元の他の交換機へ移転完了通知を送信する手段と、移転完了通知を受信すると、移転した識別情報を識別情報テーブルから除外する手段を備え、内線電話機は、登録先変更要求を受信すると、移転先の他の交換機の識別情報を記憶手段へ格納するとともに、登録要求を移転先の他の交換機へ送信する手段を備えたことを特徴としたものである。
【００１９】
移転先の交換機から移転元の交換機へ、移転する内線電話機を識別する識別情報を送信
して移転元の交換機の識別情報テーブルから移転電話機情報を除外するとともに、移転先の交換機の識別情報テーブルへ移転電話機情報を登録することができるので、１回の設定変更で移転元の交換機と、移転先の交換機との識別情報テーブルの設定変更が同時にできる。
【００２０】
また、識別情報テーブルへの移転する内線電話機の識別情報の追加および削除の通知を、移転元の交換機から移転する内線電話機を経由させて移転先の交換機へ送信することで、移転に関係しない他の交換機や、他の端末装置などからの誤った設定変更の通知などによる誤動作や、悪意のある通信による設定変更などを防止することができる。また、内線電話機が有する発呼する際の接続先を識別する発呼先識別情報を、交換機の識別情報テーブルの設定変更と同時に変更することができる。
【００２１】
（実施の形態１）
本発明の実施の形態１に係る交換機システムを、図１から図４に基づいて説明する。図１は、本発明の実施の形態１に係る交換機システムの構成図である。図２は、図１の交換機システムの交換機の構成図である。図３は、図１の交換機の制御手段の構成図である。図４は、本発明の実施の形態１に係る交換機システムの動作を説明する図である。
【００２２】
まず、本発明の実施の形態１に係る交換機システムの構成を図１に基づいて説明する。図１に示すように、交換機システム１は、交換機２と、交換機３と、内線電話機４とが、ネットワーク５で接続されている。この交換機システム１は、設置される企業などの規模により、交換機が３台以上設置される場合もある。また、交換機２と交換機３とに収容される内線の本数に応じて、接続される内線電話機の台数も複数台数接続可能であるが、説明の便宜上、交換機を交換機２および交換機３の２台とし、内線電話機を内線電話機４の１台のみを図示している。
【００２３】
交換機２と交換機３は同じ構成を有しており、図示しない１本以上の加入者電話網やＩＳＤＮ（Integrated Services Digital Network）回線や、ＩＰ−ＶＰＮ等のＩＰ網と接続されている。
【００２４】
また、交換機２と、交換機３と、内線電話機４とネットワーク５である１００Ｂａｓｅ−ＴなどのＬＡＮで接続され、図示しないハブなどの集線装置を経由して接続されている。また、このネットワーク５は、ＴＣＰ／ＩＰ（Transmission Control Protocol/Internet Protocol）などの手順により通信している。また、交換機２と交換機３との間にＷＡＮ（Wide Area Network）を経由するルータなどのネットワーク中継装置などを介在させることができる。
【００２５】
内線電話機４は、ＩＰ電話機であり、交換機２と交換機３により、着信した外線からの呼を、他のＩＰ電話機とはＩＰやＭＡＣアドレスで識別される。なお、交換機システム１は、交換機２が内線電話機４に割り当てた内線を収容しているものとする。
【００２６】
次に、交換機２および交換機３の構成を図２に基づいて詳細に説明する。図２に示すように、本発明の実施の形態１に係る交換機システムの交換機２および交換機３は、外線８と内線電話機４は、ＬＡＮスイッチ１１で接続されており、装置全体を制御する制御手段１４と、内線電話機４を識別する識別情報が格納された識別情報テーブル１５とを有している。ＬＡＮスイッチ１１は、外線８と内線５ａとの間、または内線５ａ間の接続を切り換えて通話路を形成する機能を有している。
【００２７】
図３に示すように、制御手段１４は、移転要求通知手段２１と、移転要求応答手段２２と、登録先変更要求手段２３と、移転完了通知手段２４と、識別情報登録手段２５と、移
転完了受信手段２６と、識別情報削除手段２７と、開通情報登録手段２８とを有している。
【００２８】
移転要求通知手段２１は、識別情報テーブル１５に登録された内線電話機の識別情報を、移転先である交換機へ、移転を要求する移転要求通知を、内線電話機４の識別情報とともに送信する手段である。交換機２に収容される内線に割り当てられた内線電話機４を、交換機３に移転する場合には、交換機２の移転要求通知手段２１が、交換機３へ移転要求通知を送信する。
【００２９】
移転要求応答手段２２は、移転要求通知を受信すると、識別情報登録手段２５へ通知して、移転要求応答を返信する手段である。識別情報登録手段２５は、移転要求応答手段２２からの通知により移転する識別情報を識別情報テーブル１５に登録する。交換機２に収容される内線に割り当てられた内線電話機４を、交換機３に移転する場合には、交換機３の移転要求応答手段２２が、交換機２へ移転要求応答を返信する。
【００３０】
登録先変更要求手段２３は、移転要求応答を受信すると、登録先変更要求を移転先の交換機の識別情報とともに、移転する識別情報に対応する内線電話機４へ送信する手段である。交換機２に収容される内線に割り当てられた内線電話機４を、交換機３に移転する場合には、交換機２の登録先変更要求手段２３が、内線電話機４へ登録先変更要求を移転先である交換機３の識別情報とともに送信する。
【００３１】
移転完了通知手段２４は、登録先変更要求に対応する内線電話機４からの登録要求を受信すると、開通情報登録手段２８へ通知して、移転元の交換機へ移転完了通知を送信する手段である。開通情報登録手段２８は、移転完了通知手段２４からの通知により移転する内線電話機４の移転の完了を示す登録要求を開通情報として識別情報テーブル１５に登録する。交換機２に収容される内線に割り当てられた内線電話機４を、交換機３に移転する場合には、交換機３の移転完了通知手段２４が、内線電話機４から登録要求を受信すると、開通情報登録手段２８へ通知する。そして開通情報登録手段２８は、交換機２へ内線電話機４の開通情報を識別情報テーブル１５に登録するとともに移転完了通知を送信する。
【００３２】
移転完了受信手段２６は、移転先の交換機から移転完了通知を受信すると、識別情報削除手段２７へ通知する。識別情報削除手段２７は、移転完了受信手段２６からの通知により、移転した内線電話機４に対応する識別情報を識別情報テーブル１５から除外する。交換機２に収容される内線に割り当てられた内線電話機４を、交換機３に移転する場合には、交換機２の移転完了受信手段２６が、移転先である交換機３から移転完了通知を受信すると、識別情報削除手段２７へ通知する。識別情報削除手段２７は、移転完了受信手段２６からの通知により、移転した内線電話機４に対応する識別情報を識別情報テーブル１５から除外する。
【００３３】
識別情報テーブル１５は、内線電話機４を識別する識別情報が設定されており、内線電話機の製造時に設定され以後変更されることはないＭＡＣアドレスや、接続されるネットワークごとに定義されるＩＰアドレスが、内線番号に対応付けて格納されている。この識別情報テーブル１５により、制御手段１４は、外線からの呼を着信先の内線番号に基づいて、その着信先のＩＰアドレスを検索して、ネットワーク５に接続された内線電話機であるかを識別して配信する。また、識別情報テーブル１５は、内線番号に対応させて着信グループや、ピックアップグループなどの設定も対応付けて設定されている。
【００３４】
また、識別情報テーブル１５は、内線電話機４を識別する識別情報に対応付けられた開通情報が格納されている。交換機２，３は、この開通情報と対応した内線電話機４の内線のみに、配信などの交換動作を行っている。
【００３５】
図２に戻って、内線電話機４，１６は、本体部１７と受話器１８とで構成され、本体部１７は表示手段１９とダイヤルボタン２０とを有しているＩＰ電話機である。ダイヤルボタン２０は、内線電話機４，１６をオフフックして外線や内線との通話する際に電話番号を入力して発呼する。
【００３６】
また、内線電話機４，１６は、ネットワーク５に接続して交換機２または交換機３と通信する手段と、発呼する際に接続先の交換機の識別情報を記憶する記憶手段とを有している。図１に示す交換機システム１の内線電話機４は、交換機２に内線電話機４に割り当てた内線を収容されているので、記憶手段には交換機２を識別するＩＰアドレスを格納している。つまり、内線電話機４が発呼する際には、外線の電話番号や内線番号が交換機２に通知され、交換機２が、その電話番号に対応する外線または内線へ配信する。
【００３７】
以上のように構成される本発明の実施の形態１に係る交換機システムの動作を図１から図４に基づいて説明する。交換機２に収容される内線に割り当てられた内線電話機４を、交換機３に移転する場合を説明する。
【００３８】
（１）図４に示すように、交換機２の移転要求通知手段２１は、交換機２の識別情報テーブル１５に登録された内線電話機４の識別情報を交換機３へ移転を要求する移転要求通知を、内線電話機４の識別情報とともに交換機３へ、ネットワーク５を経由して送信する。
【００３９】
（２）交換機３の移転要求応答手段２２は、識別情報登録手段２５へ通知するとともに、交換機２へ移転要求応答を送信する。識別情報登録手段２５は、移転する識別情報を識別情報テーブル１５に登録する。
【００４０】
（３）交換機２の登録先変更要求手段２３は、移転要求応答を交換機３から受信すると、登録先変更要求を移転先の交換機３の識別情報ともに、移転する識別情報に対応する内線電話機４へ、ＬＡＮスイッチ１１を経由してネットワーク５を経由して送信する。
【００４１】
（４）内線電話機４は、登録先変更要求を交換機２から受信すると、移転先である交換機３の識別情報を記憶手段へ格納するとともに、登録要求を移転先の交換機３へ送信する。なお、内線電話機４は、登録先変更要求を交換機２から受信した際に、表示手段１９に、移転先の交換機３の識別情報を表示するとともに、ダイヤルボタン２０などの入力手段からの入力待ちとし、操作者が内容を確認して所定の入力を行うことで登録要求を移転先の交換機３へ送信するようにしてもよい。このようにすることでより、セキュリティの高い交換機システムとすることができる。また、移転する内線電話機の識別情報を誤って設定した場合に、異なる内線電話機に表示されて、処理が入力待ちで停止状態となるので、操作ミス等による誤設定が防止できる。
【００４２】
（５）交換機３の移転完了通知手段２４は、登録先変更要求に対する内線電話機４から登録要求を受信すると、開通情報登録手段２８へ通知するとともに、移転元である交換機２へ移転完了通知を送信する。開通情報登録手段２８は、内線電話機４からの登録要求を移転が完了したことを示す開通情報として移転する内線電話機４と対応する識別情報テーブル１５に登録する。
【００４３】
移転完了通知手段２４は、受信した登録先変更要求が移転する内線電話機４からの通知でない場合には、その通知を拒否することにより、セキュリティを高めることができる。
【００４４】
（６）交換機２の移転完了受信手段２５は、移転完了通知を交換機３から受信すると、
移転した識別情報を識別情報テーブル１５から除外する。
【００４５】
このようにして、移転元の交換機から移転先の交換機へ、移転する内線電話機を識別する識別情報を送信して移転先の交換機の識別情報テーブルへ移転電話機情報を登録するとともに、移転元の交換機の識別情報テーブルから移転電話機情報を除外することができるので、１回の設定変更で移転元の交換機と、移転先の交換機との識別情報テーブルの設定変更が同時にできる。
【００４６】
（実施の形態２）
本発明の実施の形態２に係る交換機システムを、図５から図７に基づいて説明する。図５は、本発明の実施の形態２に係る交換機の構成図である。図６は、図５の交換機の制御手段の構成図である。図７は、図５の本発明の実施の形態２に係る交換機システムの動作を説明する図である。
【００４７】
本発明の実施の形態に係る実施の形態２に係る交換機システムは、移転先の交換機から移転元の交換機へ移転要求通知を送信して内線電話機の移転を行うことを特徴としている。なお、本発明の実施の形態２に係る交換機システムは、図１と同様の構成である。また、本発明の実施の形態２に係る交換機システムに用いられる交換機の構成を示す図５および図６においては、図２および図３と、同じ構成は同符号を付して説明を省略する。
【００４８】
図２および図３に示すように、制御手段３０は、移転要求通知手段３１と、登録先変更要求手段３３と、移転要求応答手段３２と、移転完了通知手段２４と、識別情報登録手段２５と、移転完了受信手段２６と、識別情報削除手段２７と、開通情報登録手段２８とを有している。
【００４９】
移転要求通知手段３１は、移転元の交換機の識別情報テーブル１５に登録された内線電話機４の識別情報を移転するよう移転元の交換機へ要求する手段である。交換機２に収容される内線に割り当てられた内線電話機４を、交換機３に移転する場合には、交換機３の移転要求通知手段３１が、交換機２へ移転要求通知を送信する。
【００５０】
移転要求応答手段３２は、移転要求通知を移転先の交換機から受信すると、移転先の交換機へ移転要求応答を、識別情報テーブル１５に登録された内線電話機の識別情報とともに、通知する手段である。交換機２に収容される内線に割り当てられた内線電話機４を、交換機３に移転する場合には、交換機２の移転要求応答手段２２が、交換機３へ移転要求応答を返信する。
【００５１】
登録先変更要求手段３３は、移転要求応答を移転先の交換機から受信すると、登録先変更要求を移転先の交換機の識別情報とともに、移転する識別情報に対応する内線電話機４へ送信する手段である。交換機２に収容される内線に割り当てられた内線電話機４を、交換機３に移転する場合には、交換機２の登録先変更要求手段３２は、交換機３から移転要求応答を受信すると、登録先変更要求を交換機３の識別情報とともに、移転する識別情報に対応する内線電話機４へ送信する。
【００５２】
以上のように構成される本発明の実施の形態２に係る交換機システムの動作を図５から図７に基づいて説明する。
【００５３】
交換機２に収容される内線に割り当てられた内線電話機４を、交換機３に移転する場合を説明する。
【００５４】
（１）図７に示すように、交換機３の移転要求通知手段３１は、交換機２の識別情報テ
ーブルに登録された内線電話機４の識別情報を移転するよう交換機２へ要求する移転要求通知を、内線電話機４の識別情報とともに、交換機３へ送信する。
【００５５】
（２）交換機２の移転要求応答手段３２は、移転要求通知を交換機３から受信すると、識別情報登録手段２５へ通知するとともに、交換機３へ移転要求応答を送信する。識別情報登録手段２５は、移転する識別情報を識別情報テーブル１５に登録する。
【００５６】
（３）交換機２の登録先変更要求手段３３は、移転要求応答を交換機３から受信すると、登録先変更要求を移転先の交換機３の識別情報とともに、移転する内線電話機４の識別情報に対応する内線電話機４へ送信する。
【００５７】
（４）内線電話機４は、登録先変更要求を交換機２から受信すると、移転先である交換機３の識別情報を内線電話機４内の記憶手段へ格納するとともに、登録要求を移転先の交換機３へ送信する。なお、内線電話機４は、登録先変更要求を交換機２から受信した際に、表示手段１９に、移転先の交換機３の発呼先識別情報を表示するとともに、ダイヤルボタン２４などの入力手段からの入力待ちとし、操作者が内容を確認して所定の入力を行うことで移転確認を許可する応答を移転先の交換機３へ送信するようにしてもよい。このようにすることでより、セキュリティの高い交換機システムとすることができるとともに、操作ミス等による誤設定が防止できる。
【００５８】
（５）交換機３の移転完了通知手段２４は、登録先変更要求に対する内線電話機４から登録要求を受信すると、開通情報登録手段２８へ通知するとともに、移転元である交換機２へ移転完了通知を送信する。開通情報登録手段２８は、内線電話機４からの登録要求を移転が完了したことを示す開通情報として移転する内線電話機４に対応する識別情報テーブル１５に登録する。移転完了通知手段２４は、受信した登録要求が移転する内線電話機４からの通知でない場合には、その通知を拒否することにより、セキュリティを高めることができる。
【００５９】
（６）交換機２の移転完了受信手段２６は、移転完了通知を交換機３から受信すると、移転した識別情報を識別情報テーブル１５から除外する。
【００６０】
このようにして、移転先の交換機から移転元の交換機へ、移転する内線電話機を識別する識別情報を送信して、移転元の交換機の識別情報テーブルから移転電話機情報を除外するとともに、移転先の交換機の識別情報テーブルへ移転電話機情報を登録することができるので、１回の設定変更で移転元の交換機と、移転先の交換機との識別情報テーブルの設定変更が同時にできる。
【産業上の利用可能性】
【００６１】
本発明に係る交換機システムは、内線電話機の移転のための設定変更が容易にできるので、複数の内線を収容し外線から着信した呼を内線に接続される内線電話機へ配信する交換機システムに好適である。
【図面の簡単な説明】
【００６２】
【図１】本発明の実施の形態１に係る交換機システムの構成図
【図２】図１の交換機システムの交換機の構成図
【図３】図１の交換機の制御手段の構成図
【図４】図１の係る交換機システムの動作を説明する図
【図５】本発明の実施の形態２に係る交換機の構成図
【図６】図５の交換機の制御手段の構成図
【図７】図５の本発明の実施の形態２に係る交換機システムの動作を説明する図
【符号の説明】
【００６３】
１    交換機システム
２，３    交換機
４    内線電話機
５，５ａ，５ｂ    ネットワーク
８    外線
１１    ＬＡＮスイッチ
１４    制御手段
１５    識別情報テーブル
１６    内線電話機
１７    本体部
１８    受話器
１９    表示手段
２０    ダイヤルボタン
２１    移転要求通知手段
２２    移転要求応答手段
２３    登録先変更要求手段
２４    移転完了通知手段
２５    識別情報登録手段
２６    移転完了受信手段
２７    識別情報削除手段
２８    開通情報登録手段
３０    制御手段
３１    移転要求通知手段
３２    移転要求応答手段
３３    登録先変更要求手段
【図１】
2005260419.tif 000003
【図２】
2005260419.tif 000004
【図３】
2005260419.tif 000005
【図４】
2005260419.tif 000006
【図５】
2005260419.tif 000007
【図６】
2005260419.tif 000008
【図７】
2005260419.tif 000009